(57)【要約】【目的】簡便で安価にポマードを充填したポマード容器を得ることができるポマード容器へのポマードの充填装置及びその充填方法の提供。【構成】空ポマード容器３の移動体４と、加熱により液状となり常温でゼリー状固溶体となるポマード液５を空ポマード容器に流入して充填ポマード容器７を形成する流入体６と、充填ポマード容器の移動ベルト体８と、充填ポマード容器に流入したポマード液の表面ゼリー状固溶体層９にポマード液よりも小さい比重を有した被覆用油１０の滴下用ノズル１１を設けると共に被覆用油を流動させて表面ゼリー状固溶体層の全面を被覆する被覆膜層１２を形成する被覆膜層形成体１３と、被覆膜層を備えた充填ポマード容器を流出させる流出体１４と、充填ポマード容器７の移動装置体１５とを具備したことを特徴としている。【選択図】              図１
2005041495.tif 000002
【特許請求の範囲】
【請求項１】
一方先方部１より他方後方部２に亘り、空ポマード容器３の移動体４と、加熱により液状となり常温でゼリー状固溶体となるポマード液５を空ポマード容器３に流入して充填ポマード容器７を形成する流入体６と、充填ポマード容器７の移動ベルト体８と、充填ポマード容器７に流入したポマード液５の表面ゼリー状固溶体層９の数個所にポマード液５よりも小さい比重を有した被覆用油１０を滴下させる滴下用ノズル１１を設けると共に滴下させた被覆用油１０を流動させて充填ポマード容器７に流入したポマード液５の表面ゼリー状固溶体層９の全面を被覆する被覆膜層１２を形成する被覆膜層形成体１３と、被覆膜層１２を備えた充填ポマード容器７を流出させる流出体１４とより成ると共に充填ポマード容器７を移動ベルト体８より被覆膜層形成体１３、流出体１４へと移動させる移動装置体１５とを具備し、更に移動体４は一方先方部１の方向は高く流入体６の方向へ低くした空ポマード容器３の容器滑落用載置板１６の両側に空ポマード容器３の脱落防止枠１７，１７を設けると共に低位置に容器滑落阻止片１８を突設して形成し、又流入体６は容器滑落阻止片１８に係止された空ポマード容器３を手先で把持して移動載置する容器載置板１９を設けると共に該容器載置板１９に空ポマード容器３の載置に伴って載置板センサー部２０が作動して容器載置板１９に載置した空ポマード容器３の上部に設けたポマード液５の流出ノズル２１を介して一定量のポマード液５を空ポマード容器３に流入して充填ポマード容器７を形成し、又移動ベルト体８は充填ポマード容器７を手先で把持して移動載置するベルト面２２を設けて充填ポマード容器７を被覆膜層形成体１３の方向へ移動させると共にポマード液５の冷却に伴い表面ゼリー状固溶体層９を形成し、又被覆膜層形成体１３はベルト面２２に載置された充填ポマード容器７が被覆膜層形成体１３に近接したことを移動装置体１５の移動センサー部２３が検知して作動片２４が作動し、滴下用ノズル１１の直下に案内し、滴下用ノズル１１よりポマード液５よりも小さい比重を有した被覆用油１０を滴下させて被覆膜層１２を設け、更に作動片２４の作動に伴い被覆膜層１２を備えた充填ポマード容器７を流出体１４に移動するように形成し、又流出体１４は充填ポマード容器載置案内板２５に隣接した流出板３０を設けると共に被覆膜層１２を備えた充填ポマード容器７の流出板３０からの脱落を阻止する脱落阻止案内枠３１，３１を設けて形成したことを特徴とするポマード容器へのポマードの充填装置。
【請求項２】
被覆膜層形成体１３はベルト面２２に載置された充填ポマード容器７が被覆膜層形成体１３に近接したことを移動装置体１５の移動センサー部２３が検知して作動片２４が作動し、充填ポマード容器載置案内板２５の中央円穴２６内に設けると共に滴下用ノズル１１の直下に位置する回転体２７の上面部２８に充填ポマード容器７を充填ポマード容器載置案内板２５の表面部２９を滑らせて案内し、滴下用ノズル１１よりポマード液５よりも小さい比重を有した被覆用油１０を滴下させると共に回転体２７を回転させて被覆膜層１２を設け、更に作動片２４の作動に伴い被覆膜層１２を備えた充填ポマード容器７を流出体１４に移動するように形成したことを特徴とする請求項１記載のポマード容器へのポマードの充填装置。
【請求項３】
回転体２７の回転時に回転体２７が降下して回転体２７の上面部２８が充填ポマード容器載置案内板２５の表面部２９より下方に位置するように形成したことを特徴とする請求項２記載のポマード容器へのポマードの充填装置。
【請求項４】
空ポマード容器３を手先で把持して容器載置板１９に移動載置する工程と、次に容器載置板１９に空ポマード容器３の載置に伴って載置板センサー部２０が作動して容器載置板１９に載置した空ポマード容器３の上部に設けた加熱により液状となり常温でゼリー状固溶体となるマード液５の流出ノズル２１を介して一定量のポマード液５を空ポマード容器３に流入して充填ポマード容器７を形成する工程と、次に充填ポマード容器７を手先で把持して移動ベルト体８のベルト面２２の一方に載置して充填ポマード容器７を他方の被覆膜層形成体１３を設けた方向へ移動させると共にポマード液５の冷却に伴い表面ゼリー状固溶体層９を形成する工程と、次にベルト面２２に載置された充填ポマード容器７が被覆膜層形成体１３に近接したことを移動装置体１５の移動センサー部２３が検知して作動片２４が作動し、被覆膜層形成体１３に案内する工程と、次に滴下用ノズル１１よりポマード液５よりも小さい比重を有した被覆用油１０を滴下させて被覆膜層１２を設ける工程と、次に作動片２４の作動に伴い被覆膜層１２を備えた充填ポマード容器７を流出体１４に移動する工程とよりなることを特徴とするポマード容器へのポマードの充填方法。
【発明の詳細な説明】
【０００１】
【産業上の利用分野】
この発明は、簡便で安価にポマードを充填したポマード容器を得ることができるポマード容器へのポマードの充填装置及びその充填方法。
【０００２】
【従来の技術】
従来、ポマードを化粧品店等の販売店より購入すると図１２に図示したように容器５０にゼリー状固溶体のポマード５１が充填されていると共にそのポマード５１の表面部５２がポリエステルシート５３で被覆され、更に容器５０に着脱自在の蓋体５４が施されているものが一般に市販されているものである。
【０００３】
又従来より一般に市販されているポマード５１は容器５０に充填するに際しては図１１に図示したように人手を介して器体５０を容器載置板体５５に移動載置させ、器体５０の容器載置板体５５への移動載置に伴って載置板センサー部体５６が作動して加熱により液状となり常温でゼリー状固溶体となるポマード５１の液状体をノズル体５７を介して容器５０に充填し、更に液状体のポマード５１を充填した容器５０を人手を介して移動ベルトのベルト面部５８に載置して流出体部５９に移動すると共に液状体のポマード５１を充填した容器５０のベルト面部５８上での移動中に２人目の人手を介して容器５０に充填した液状体のポマード５１の上面をポリエステルシート５３で被覆し、更に３人目の人手を介して液状体のポマード５１の上面をポリエステルシート５３で被覆した容器５０を流出体部５９に移し、更に液状体のポマード５１の上面をポリエステルシート５３で被覆した容器５０の多数を集めて冷房室等で冷却してゼリー状固溶体のポマード５１が充填された器体５０を得ることが出来るようにすることは知られている。
【０００４】
【発明が解決しようとする課題】
ところが、従来のポマードを化粧品店等の販売店より購入すると図１２に図示したように容器５０にゼリー状固溶体のポマード５１が充填されていると共にそのポマード５１の表面部５２がポリエステルシート５３で被覆され、更に容器５０に着脱自在の蓋体５４が施されているものが一般に市販されているものであるが、仮にポリエステルシート５３で被覆されていないとすると、ポマード５１の表面部５２に無数の凹凸模様が表れると共に平滑で美麗な表面部５２が形成されず、且又異色の斑点等が表れて販売に適するポマードを得ることが出来ない等の欠点を有するものである。
【０００５】
又従来より一般に市販されているポマード５１は、前記したようにポマード５１の表面部５２に無数の凹凸模様が表れる共に平滑で美麗な表面部５２が形成されず、且又異色の斑点等が表れて販売に適するポマードを得ることが出来ない等の欠点を除去するための手段として、容器５０にポマード５１を充填するに際しては図１１に図示したように１人目の人手を介して器体５０を容器載置板体５５に移動載置させ、器体５０の容器載置板体５５への移動載置に伴って載置板センサー部体５６が作動して加熱により液状となり常温でゼリー状固溶体となるポマード５１の液状体をノズル体５７を介して容器５０に充填し、更に液状体のポマード５１を充填した容器５０を前記と同じ１人目の人手を介して移動ベルトのベルト面部５８に載置して流出体部５９に移動すると共に液状体のポマード５１を充填した容器５０のベルト面部５８上での移動中に２人目の人手を介して容器５０に充填した液状体のポマード５１の上面をポリエステルシート５３で被覆し、更に３人目の人手を介して液状体のポマード５１の上面をポリエステルシート５３で被覆した容器５０を流出体部５９に移し、更に液状体のポマード５１の上面をポリエステルシート５３で被覆した容器５０の多数を集めて冷房室等で冷却してゼリー状固溶体のポマード５１が充填された器体５０を得ることが出来るようにすようにしたので、この手段では３人の人手を要して人件費が高くなり、更にポリエステルシート５３で被覆するための作業を行う作業者は熟練を要した者でないと作業を適格に行うことができないので人件費がより高くなって商品の販売費が高騰するものであり、又更に熟練者が不足して商品の製造が出来ない等の欠点を有するものである。
【０００６】
この発明は上記の問題点を解決したもので、極めて簡単な手段で容器に充填されて化粧品店等の販売店で販売されているゼリー状固溶体のポマードの表面部が平滑で美麗に形成されていて購入者の購入意欲を助長するものであると共に販売に適するポマードを安価に得ることが出来るようにしたものであり、又更に従来品のように容器に充填されているゼリー状固溶体のポマードの表面部を平滑で美麗に保持するために表面部をポリエステルシートで被覆する等の熟練した作業員を必要とせず、図１１に図示して説明した従来の製造装置のようにゼリー状固溶体のポマードが充填された器体を得ることが出来るようにすようにするために３人の人手を要して人件費が高くなることを阻止し、製造工程上での人件費を節減して低廉なポマード製品を販売することができるようにしたポマード容器へのポマードの充填装置及びその充填方法を得ることを目的としたものである。
【０００７】
【課題を解決するための手段】
上記の目的を達成するためこの発明は、一方先方部１より他方後方部２に亘り、空ポマード容器３の移動体４と、加熱により液状となり常温でゼリー状固溶体となるポマード液５を空ポマード容器３に流入して充填ポマード容器７を形成する流入体６と、充填ポマード容器７の移動ベルト体８と、充填ポマード容器７に流入したポマード液５の表面ゼリー状固溶体層９の数個所にポマード液５よりも小さい比重を有した被覆用油１０を滴下させる滴下用ノズル１１を設けると共に滴下させた被覆用油１０を流動させて充填ポマード容器７に流入したポマード液５の表面ゼリー状固溶体層９の全面を被覆する被覆膜層１２を形成する被覆膜層形成体１３と、被覆膜層１２を備えた充填ポマード容器７を流出させる流出体１４とより成ると共に充填ポマード容器７を移動ベルト体８より被覆膜層形成体１３、流出体１４へと移動させる移動装置体１５とを具備し、更に移動体４は一方先方部１の方向は高く流入体６の方向へ低くした空ポマード容器３の容器滑落用載置板１６の両側に空ポマード容器３の脱落防止枠１７，１７を設けると共に低位置に容器滑落阻止片１８を突設して形成し、又流入体６は容器滑落阻止片１８に係止された空ポマード容器３を手先で把持して移動載置する容器載置板１９を設けると共に該容器載置板１９に空ポマード容器３の載置に伴って載置板センサー部２０が作動して容器載置板１９に載置した空ポマード容器３の上部に設けたポマード液５の流出ノズル２１を介して一定量のポマード液５を空ポマード容器３に流入して充填ポマード容器７を形成し、又移動ベルト体８は充填ポマード容器７を手先で把持して移動載置するベルト面２２を設けて充填ポマード容器７を被覆膜層形成体１３の方向へ移動させると共にポマード液５の冷却に伴い表面ゼリー状固溶体層９を形成し、又被覆膜層形成体１３はベルト面２２に載置された充填ポマード容器７が被覆膜層形成体１３に近接したことを移動装置体１５の移動センサー部２３が検知して作動片２４が作動し、滴下用ノズル１１の直下に案内し、滴下用ノズル１１よりポマード液５よりも小さい比重を有した被覆用油１０を滴下させて被覆膜層１２を設け、更に作動片２４の作動に伴い被覆膜層１２を備えた充填ポマード容器７を流出体１４に移動するように形成し、又流出体１４は充填ポマード容器載置案内板２５に隣接した流出板３０を設けると共に被覆膜層１２を備えた充填ポマード容器７の流出板３０からの脱落を阻止する脱落阻止案内枠３１，３１を設けて形成したものである。
【０００８】
又、被覆膜層形成体１３はベルト面２２に載置された充填ポマード容器７が被覆膜層形成体１３に近接したことを移動装置体１５の移動センサー部２３が検知して作動片２４が作動し、充填ポマード容器載置案内板２５の中央円穴２６内に設けると共に滴下用ノズル１１の直下に位置する回転体２７の上面部２８に充填ポマード容器７を充填ポマード容器載置案内板２５の表面部２９を滑らせて案内し、滴下用ノズル１１よりポマード液５よりも小さい比重を有した被覆用油１０を滴下させると共に回転体２７を回転させて被覆膜層１２を設け、更に作動片２４の作動に伴い被覆膜層１２を備えた充填ポマード容器７を流出体１４に移動するように形成したものである。
【０００９】
又、回転体２７の回転時に回転体２７が降下して回転体２７の上面部２８が充填ポマード容器載置案内板２５の表面部２９より下方に位置するように形成したものである。
【００１０】
又、空ポマード容器３を手先で把持して容器載置板１９に移動載置する工程と、次に容器載置板１９に空ポマード容器３の載置に伴って載置板センサー部２０が作動して容器載置板１９に載置した空ポマード容器３の上部に設けた加熱により液状となり常温でゼリー状固溶体となるマード液５の流出ノズル２１を介して一定量のポマード液５を空ポマード容器３に流入して充填ポマード容器７を形成する工程と、次に充填ポマード容器７を手先で把持して移動ベルト体８のベルト面２２の一方に載置して充填ポマード容器７を他方の被覆膜層形成体１３を設けた方向へ移動させると共にポマード液５の冷却に伴い表面ゼリー状固溶体層９を形成する工程と、次にベルト面２２に載置された充填ポマード容器７が被覆膜層形成体１３に近接したことを移動装置体１５の移動センサー部２３が検知して作動片２４が作動し、被覆膜層形成体１３に案内する工程と、次に滴下用ノズル１１よりポマード液５よりも小さい比重を有した被覆用油１０を滴下させて被覆膜層１２を設ける工程と、次に作動片２４の作動に伴い被覆膜層１２を備えた充填ポマード容器７を流出体１４に移動する工程とよりなるものである。
【００１１】
【実施例】
以下図面についてこの発明のポマード容器へのポマードの充填装置の実施例を説明すると、一方先方部１より他方後方部２に亘り、空ポマード容器３の移動体４と、約９０度の加熱により液状となり常温でゼリー状固溶体となるヒマシ油、モクロウ等を主成分としたポマード液５を空ポマード容器３に流入して充填ポマード容器７を形成する流入体６と、充填ポマード容器７の移動ベルト体８と、充填ポマード容器７に流入したポマード液５の表面ゼリー状固溶体層９の数個所にポマード液５よりも小さい比重を有したミンクオイル、ツバキ油等の被覆用油１０を滴下させる滴下用ノズル１１を設けると共に充填ポマード容器７を回転させて数個所に滴下させた被覆用油１０を流動させて充填ポマード容器７に流入したポマード液５の表面ゼリー状固溶体層９の全面を被覆する被覆膜層１２を形成する被覆膜層形成体１３と、被覆膜層１２を備えた充填ポマード容器７を流出させる流出体１４とより成ると共に充填ポマード容器７を移動ベルト体８より被覆膜層形成体１３、流出体１４へと移動させる移動装置体１５とを具備し、更に移動体４は一方先方部１の方向は高く流入体６の方向へ低くした空ポマード容器３の容器滑落用載置板１６の両側に空ポマード容器３の脱落防止枠１７，１７を設けると共に低位置に容器滑落阻止片１８を突設して形成し、又流入体６は容器滑落阻止片１８に係止された空ポマード容器３を手先で把持して移動載置する容器載置板１９を設けると共に該容器載置板１９に空ポマード容器３の載置に伴って載置板センサー部２０が作動して容器載置板１９に載置した空ポマード容器３の上部に設けたポマード液５の液タンク３３と連設した流出ノズル２１を介して一定量のポマード液５を空ポマード容器３に流入して充填ポマード容器７を形成し、又移動ベルト体８は充填ポマード容器７を手先で把持して移動載置するベルト面２２を設けて充填ポマード容器７を被覆膜層形成体１３の方向へ移動させると共にポマード液５の冷却に伴い表面ゼリー状固溶体層９を形成し、又被覆膜層形成体１３はベルト面２２に載置された充填ポマード容器７が被覆膜層形成体１３に近接したことを移動装置体１５の移動センサー部２３が検知して作動片２４が作動し、更に作動片２４の作動に伴い被覆膜層１２を備えた充填ポマード容器７を流出体１４に移動するように形成し、又流出体１４は充填ポマード容器載置案内板２５に隣接した流出板３０を設けると共に被覆膜層１２を備えた充填ポマード容器７の流出板３０からの脱落を阻止する脱落阻止案内枠３１，３１を設けて形成したものである（図１〜図１０参照）。
【００１２】
又、被覆膜層形成体１３はベルト面２２に載置された充填ポマード容器７が被覆膜層形成体１３に近接したことを移動装置体１５の移動センサー部２３が検知して作動片２４が作動し、充填ポマード容器載置案内板２５の中央円穴２６内に設けると共に被覆用油タンク３４と連設した滴下用ノズル１１の直下に位置する回転体２７の上面部２８に充填ポマード容器７を充填ポマード容器載置案内板２５の表面部２９を滑らせて案内し、滴下用ノズル１１よりポマード液５よりも小さい比重を有した被覆用油１０を滴下させると共に回転体２７を回転させて被覆膜層１２を設け、更に作動片２４の作動に伴い被覆膜層１２を備えた充填ポマード容器７を流出体１４に移動するように形成したものである。
【００１３】
又、回転体２７の回転時に回転体２７が降下して回転体２７の上面部２８が充填ポマード容器載置案内板２５の表面部２９より下方に位置するように形成したもので充填ポマード容器７が回転体２７の表面より離脱することなく回転して被覆膜層１２が形成されるものである（図５参照）。
【００１４】
又更にこの発明の頭髪のカール形成方法の実施例を説明すると、空ポマード容器３を手先で把持して容器載置板１９に移動載置する工程と、次に容器載置板１９に空ポマード容器３の載置に伴って載置板センサー部２０が作動して容器載置板１９に載置した空ポマード容器３の上部に設けた加熱により液状となり常温でゼリー状固溶体となるマード液５の流出ノズル２１を介して一定量のポマード液５を空ポマード容器３に流入して充填ポマード容器７を形成する工程と（図３ａ参照）、次に充填ポマード容器７を手先で把持して移動ベルト体８のベルト面２２の一方に載置して充填ポマード容器７を他方の被覆膜層形成体１３を設けた方向へ移動させると共にポマード液５の冷却に伴い表面ゼリー状固溶体層９を形成する工程と、次にベルト面２２に載置された充填ポマード容器７が被覆膜層形成体１３に近接したことを移動装置体１５の移動センサー部２３が検知して作動片２４が作動し、充填ポマード容器載置案内板２５の中央円穴２６内に設けると共に滴下用ノズル１１の直下に位置する回転体２７の上面部２８に充填ポマード容器７を充填ポマード容器載置案内板２５の表面部２９を滑らせて被覆膜層形成体１３に案内する工程と、次に滴下用ノズル１１よりポマード液５よりも小さい比重を有した被覆用油１０を滴下させ（図３ｂ参照）て回転させて被覆膜層１２を設ける工程と（図３ｃ参照）、次に作動片２４の作動に伴い被覆膜層１２を備えた充填ポマード容器７を流出体１４に移動する工程とよりなるものである。
【００１５】
又、被覆膜層１２を備えた充填ポマード容器７を集めて冷却室に移動することができると共に充填ポマード容器７内に流入したポマード液５の全体がゼリー状固溶体となったところで容器蓋３２を施して販売に適する商品を形成するものである。
【００１６】
又、図１、図２、図１１に記載した符号３５を示した図模様体は作業者を表したものである。
【００１７】
【発明の作用効果】
この発明は以上のような構成であり、一方先方部１より他方後方部２に亘り、空ポマード容器３の移動体４と、加熱により液状となり常温でゼリー状固溶体となるポマード液５を空ポマード容器３に流入して充填ポマード容器７を形成する流入体６と、充填ポマード容器７の移動ベルト体８と、充填ポマード容器７に流入したポマード液５の表面ゼリー状固溶体層９の数個所にポマード液５よりも小さい比重を有した被覆用油１０を滴下させる滴下用ノズル１１を設けると共に滴下させた被覆用油１０を流動させて充填ポマード容器７に流入したポマード液５の表面ゼリー状固溶体層９の全面を被覆する被覆膜層１２を形成する被覆膜層形成体１３と、被覆膜層１２を備えた充填ポマード容器７を流出させる流出体１４とより成ると共に充填ポマード容器７を移動ベルト体８より被覆膜層形成体１３、流出体１４へと移動させる移動装置体１５とを具備しことによって空ポマード容器３に加熱により液状となり常温でゼリー状固溶体となるポマード液５を流入する場所に１人の作業員を配置するのみで従来のように作業員が３人も必要とせずに化粧品店等の販売店で販売されているゼリー状固溶体のポマードの表面部が平滑で美麗に形成されていて購入者の購入意欲を助長すると共に販売に適するポマードを安価に得ることが出来るものである。
【００１８】
又、移動体４は一方先方部１の方向は高く流入体６の方向へ低くした空ポマード容器３の容器滑落用載置板１６の両側に空ポマード容器３の脱落防止枠１７，１７を設けると共に低位置に容器滑落阻止片１８を突設して形成したので空ポマード容器３が自動的に１人の作業員が配置されている方向に移動して極めて作業を楽に行うことができるものである。
【００１９】
又、流入体６は容器滑落阻止片１８に係止された空ポマード容器３を手先で把持して移動載置する容器載置板１９を設けると共に該容器載置板１９に空ポマード容器３の載置に伴って載置板センサー部２０が作動して容器載置板１９に載置した空ポマード容器３の上部に設けたポマード液５の流出ノズル２１を介して一定量のポマード液５を空ポマード容器３に流入して充填ポマード容器７を形成されるのて１人の作業員がポマード液５を空ポマード容器３に不足することなく流入されているかを常時監視して販売用の製品としての不良製品の出来上がりを未然に阻止することができるものである。
【００２０】
又、移動ベルト体８は充填ポマード容器７を手先で把持して移動載置するベルト面２２を設けて充填ポマード容器７を被覆膜層形成体１３の方向へ移動させると共にポマード液５の冷却に伴い表面ゼリー状固溶体層９を形成されるようにしたので１人の作業員での容器載置板１９からベルト面２２への載置に際してポマード液５の良、不良をより監視して不良製品の出来上がりを更に管理することができるものである。
【００２１】
又、被覆膜層形成体１３はベルト面２２に載置された充填ポマード容器７が被覆膜層形成体１３に近接したことを移動装置体１５の移動センサー部２３が検知して作動片２４が作動し、滴下用ノズル１１の直下に案内し、滴下用ノズル１１よりポマード液５よりも小さい比重を有した被覆用油１０を滴下させて被覆膜層１２を設け、更に作動片２４の作動に伴い被覆膜層１２を備えた充填ポマード容器７を流出体１４に移動するように形成したことによって、被覆膜層１２がポマードの表面部に無数の凹凸模様が表れる共に平滑で美麗な表面部が形成されず、且又異色の斑点等が表れて販売に適するポマードを得ることが出来ない等の欠点を阻止して化粧品店等の販売店で販売されているゼリー状固溶体のポマードの表面部が平滑で美麗に形成されていて購入者の購入意欲を助長すると共に販売に適するポマードを安価に得ることが出来るものである。
【００２２】
又、流出体１４は充填ポマード容器載置案内板２５に隣接した流出板３０を設けると共に被覆膜層１２を備えた充填ポマード容器７の流出板３０からの脱落を阻止する脱落阻止案内枠３１，３１を設けて形成したもので流出板３０上に多数の被覆膜層１２を備えた充填ポマード容器７を集めて冷却室に移動することができると共に充填ポマード容器７内に流入したポマード液５の全体がゼリー状固溶体となったところで容器蓋３２を施して販売に適する商品を得ることができて取り扱いが極めて便利である。
【００２３】
又、被覆膜層形成体１３はベルト面２２に載置された充填ポマード容器７が被覆膜層形成体１３に近接したことを移動装置体１５の移動センサー部２３が検知して作動片２４が作動し、充填ポマード容器載置案内板２５の中央円穴２６内に設けると共に滴下用ノズル１１の直下に位置する回転体２７の上面部２８に充填ポマード容器７を充填ポマード容器載置案内板２５の表面部２９を滑らせて案内し、滴下用ノズル１１よりポマード液５よりも小さい比重を有した被覆用油１０を滴下させると共に回転体２７を回転させて被覆膜層１２を設け、更に作動片２４の作動に伴い被覆膜層１２を備えた充填ポマード容器７を流出体１４に移動するように形成したので滴下した被覆用油１０は回転に伴って被覆膜層１２を表面に的確に形成して美麗なポマードの表面部を確実に形成することが出来るものである。
【００２４】
又、回転体２７の回転時に回転体２７が降下して回転体２７の上面部２８が充填ポマード容器載置案内板２５の表面部２９より下方に位置するように形成したので充填ポマード容器７が回転体２７の上面より離脱することなく摘確に回転して被覆膜層１２の形成が確実に行われるものである。
【００２５】
又、空ポマード容器３を手先で把持して容器載置板１９に移動載置する工程と、次に容器載置板１９に空ポマード容器３の載置に伴って載置板センサー部２０が作動して容器載置板１９に載置した空ポマード容器３の上部に設けた加熱により液状となり常温でゼリー状固溶体となるマード液５の流出ノズル２１を介して一定量のポマード液５を空ポマード容器３に流入して充填ポマード容器７を形成する工程と、次に充填ポマード容器７を手先で把持して移動ベルト体８のベルト面２２の一方に載置して充填ポマード容器７を他方の被覆膜層形成体１３を設けた方向へ移動させると共にポマード液５の冷却に伴い表面ゼリー状固溶体層９を形成する工程と、次にベルト面２２に載置された充填ポマード容器７が被覆膜層形成体１３に近接したことを移動装置体１５の移動センサー部２３が検知して作動片２４が作動し、被覆膜層形成体１３に案内する工程と、次に滴下用ノズル１１よりポマード液５よりも小さい比重を有した被覆用油１０を滴下させて被覆膜層１２を設ける工程と、次に作動片２４の作動に伴い被覆膜層１２を備えた充填ポマード容器７を流出体１４に移動する工程とよりなるもので空ポマード容器３に対するポマードを入れて美麗な商品を得るための手段が極めて容易であると共に複雑な工程を要せずにポマードの表面に被覆膜層１２を形成して販売に適する製品とすることが出来るものである。
【００２６】
以上のように、この発明は極めて簡単な手段で容器に充填されて化粧品店等の販売店で販売されているゼリー状固溶体のポマードの表面部が平滑で美麗に形成されていて購入者の購入意欲を助長するものであると共に販売に適するポマードを安価に得ることが出来るようにしたものであり、又更に従来品のように容器に充填されているゼリー状固溶体のポマードの表面部を平滑で美麗に保持するために表面部をポリエステルシートで被覆する等の熟練した作業員を必要とせず、図１１に図示して説明した従来の製造装置のようにゼリー状固溶体のポマードが充填された器体を得ることが出来るようにすようにするために３人の人手を要して人件費が高くなることを阻止し、人件費を節減して低廉なポマード製品を販売することができるようにしたものである等の幾多の産業的作用効果を奏するものである。
【図面の簡単な説明】
【図１】この発明装置の概略側面図である。
【図２】この発明装置の概略平面図である。
【図３】充填ポマード容器を移動装置体を介して移動するための作動片が上昇している状態を示した一部切欠拡大側面図である。
【図４】充填ポマード容器を移動装置体を介して移動するための作動片が下降している状態を示した一部切欠拡大側面図である。
【図５】充填ポマード容器を移動装置体を介して移動した後の作動片が下降している状態を示した一部切欠拡大側面図である。
【図６】充填ポマード容器を移動装置体を介して移動した後の作動片が上昇している状態を示した一部切欠拡大側面図である。
【図７】充填ポマード容器を移動装置体を介して移動するための作動片が下降している状態を示した一部切欠拡大平面図である。
【図８】充填ポマード容器を移動装置体を介して移動した後の作動片が下降している状態を示した一部切欠拡大側面図である。
【図９】ポマードを容器に充填する工程図である。
【図１０】ポマードを容器に被覆膜層を設けて充填すると共に容器蓋を分離した状態を示した縦断面図である。
【図１１】従来装置の概略側面図である。
【図１２】従来のポマードを容器に充填すると共に蓋体を分離した状態を示した縦断面図である。
【符号の説明】
１  一方先方部
２  他方後方部
３  空ポマード容器
４  移動体
５  ポマード液
６  流入体
７  充填ポマード容器
８  移動ベルト体
９  表面ゼリー状固溶体層
１０  被覆用油
１１  滴下用ノズル
１２  被覆膜層
１３  被覆膜層形成体
１４  流出体
１５  移動装置体
１６  容器滑落用載置板
１７  脱落防止枠
１８  容器滑落阻止片
１９  容器載置板
２０  載置板センサー部
２１  流出ノズル
２２  ベルト面
２３  移動センサー部
２４  作動片
２５  充填ポマード容器載置案内板
２６  中央円穴
２７  回転体
２８  上面部
２９  表面部
３０  流出板
３１  脱落阻止案内枠
３２  容器蓋
３３  液タンク
３４  被覆用油タンク
３５  作業者
【図１】
2005041495.tif 000003
【図２】
2005041495.tif 000004
【図３】
2005041495.tif 000005
【図４】
2005041495.tif 000006
【図５】
2005041495.tif 000007
【図６】
2005041495.tif 000008
【図７】
2005041495.tif 000009
【図８】
2005041495.tif 000010
【図９】
2005041495.tif 000011
【図１０】
2005041495.tif 000012
【図１１】
2005041495.tif 000013
【図１２】
2005041495.tif 000014